(57)【要約】【課題】  構図や合焦状態が確認しやすいデジタルカメラを提供する。【解決手段】  カメラ本体は、撮像素子から出力される画像信号を入力し、必要な画像処理を施して出力する信号処理部と、信号処理部から出力される画像信号を可視画像として表示する表示装置と、信号処理部から出力される画像信号を格納する記録装置と、可動ミラーの切り替えを制御する一方、撮影者から入力されるモード設定を受付け当該モード設定に応じて信号処理部を制御する制御部とを有し、制御部は、撮像素子から出力される画像信号を逐次処理して、画像信号に対応した可視画像を表示装置に逐次表示させる第１の撮影モードの設定と、光学ビューファインダーを用いる第２の撮影モードの設定とを選択的に受付けるとともに、第２の撮影モードの設定を受付けた場合、撮像素子から出力される画像信号の範囲を切り出して電子的に拡大する電子ズームモードの設定の受付けを禁止する。【選択図】図８
2008005032.tif 000002
【特許請求の範囲】
【請求項１】
被写体の光学的な像を形成する撮像レンズ系を有する撮像レンズ装置と、
前記撮像レンズ装置と着脱可能に接続されるカメラ本体とを備える、デジタルカメラであって、
前記カメラ本体は、
前記光学的な像が形成される位置を、互いに相異なる第１及び第２の予定像面位置に切り替える可動ミラーと、
前記第１の予定像面位置に形成された前記光学的な像を、電気的な画像信号に変換して出力する撮像素子と、
前記第２の予定像面位置に形成された前記光学的な像を、観察撮像レンズ系を介して撮影者の瞳へ導く光学ビューファインダーと、
前記撮像素子から出力される前記画像信号に必要な画像処理を施して出力する信号処理部と、
前記信号処理部から出力される前記画像信号を可視画像として表示する表示装置と、
前記信号処理部から出力される前記画像信号を格納する記録装置と、
前記可動ミラーの切り替えを制御する一方、前記撮影者から入力されるモード設定を受付け当該モード設定に応じて前記信号処理部を制御する制御部とを有し、
前記制御部は、
前記撮像素子から出力される前記画像信号を逐次処理して、前記画像信号に対応した可視画像を前記表示装置に逐次表示させる第１の撮影モードの設定と、光学ビューファインダーを用いる第２の撮影モードの設定とを選択的に受付けるとともに、
前記第２の撮影モードの設定を受付けた場合、前記撮像素子から出力される前記画像信号の範囲を切り出して電子的に拡大する電子ズームモードの設定の受付けを禁止する、デジタルカメラ。
【請求項２】
前記撮像レンズ系は、光学的に変倍を行うズームレンズ系であり、
前記制御手段は、指定される記録画素数によって前記画像信号の範囲を決定する第１の電子ズームモードの設定を受付け可能であり、さらに、
前記第１の撮影モードの設定を受付け、かつ前記第１の電子ズームモードの設定の受付けた場合、指定される記録画素に応じて前記画像信号の範囲を切り出して拡大し、前記ズームレンズ系による画角の変化範囲を仮想的に狭い側へ移行する、請求項１に記載のデジタルカメラ。
【請求項３】
前記制御手段は、前記第１の撮影モードの設定を受付けた場合であっても、指定される記録画素が所定値以上である場合、第１の電子ズームモードの設定の受付けを禁止する、請求項２に記載のデジタルカメラ。
【請求項４】
前記撮像レンズ系は、光学的に変倍を行うズームレンズ系であり、
前記制御手段は、前記画像信号の範囲を、拡大倍率によって決定する第２の電子ズームモードの設定を受付け可能であり、さらに、
前記第１の撮影モードの設定を受付け、かつ前記第２の電子ズームモードの設定の受付けた場合、指定された拡大倍率に応じた前記画像信号の範囲を切り出して拡大し、前記画像信号を前記表示装置に表示するように前記信号処理部を制御し、前記ズームレンズ系の画角の変化範囲を仮想的に狭い側へ移行する、請求項１に記載のデジタルカメラ。
【請求項５】
請求項１に記載のデジタルカメラに含まれる、カメラ本体。
【発明の詳細な説明】
【技術分野】
【０００１】
本発明は、デジタルカメラに関し、特に、撮像素子から出力される画像信号を逐次処理して、画像信号に対応した可視画像を表示装置に逐次表示する撮影モード（以下、ライブビューモードという）を有する一眼レフレックスタイプのデジタルカメラに関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子を持つ一眼レフレックスタイプのデジタルカメラが、数多く提案されている。一眼レフレックスタイプのデジタルカメラは、光学的な像が形成される位置を、互いに相異なる第１及び第２の予定像面位置に切り替える可動ミラー（クイックリターンミラー）を備え、第１の予定像面位置に形成された光学的な像を撮像素子で受光して、電気的な画像信号に変換して出力する一方、第２の予定像面位置に形成された前記光学的な像を、ビューファインダーのフォーカシングスクリーンに形成して、観察撮像レンズ系を介して撮影者の瞳へ導いている。
【０００３】
このような一眼レフレックスタイプのデジタルカメラにおいても、さまざまな機能が搭載された製品が提案されている。例えば、撮像レンズ系の変倍機能を利用した光学ズームと、撮像素子から出力される画像信号の一部を切り出して記録する電子ズームとの両方を有し、両者を組み合わせることによって、見かけ上の焦点距離変化範囲を変化させることが可能な電子カメラ装置が提案されている（特許文献１参照）。
【特許文献１】特開２０００−１８５２４９号公報
【発明の開示】
【発明が解決しようとする課題】
【０００４】
しかしながら、上記特許文献１のように、光学ファインダーを用いた通常撮影モードにおいても電子ズームを用いた撮影を許容すると、光学ファインダー中の記録画像に相当する領域が小さくなり、構図や合焦状態が確認しにくくなるという問題があった。
【０００５】
そこで、本発明は、一眼レフレックスタイプのデジタルカメラにおいて、構図や合焦状態が確認しやすいデジタルカメラを提供することを目的とする。
【課題を解決するための手段】
【０００６】
上記の目的を達成するために、本発明のデジタルカメラは、被写体の光学的な像を形成する撮像レンズ系を有する撮像レンズ装置と、撮像レンズ装置と着脱可能に接続されるカメラ本体とを備える、デジタルカメラであって、カメラ本体は、光学的な像が形成される位置を、互いに相異なる第１及び第２の予定像面位置に切り替える可動ミラーと、第１の予定像面位置に形成された光学的な像を、電気的な画像信号に変換して出力する撮像素子と、第２の予定像面位置に形成された光学的な像を、観察撮像レンズ系を介して撮影者の瞳へ導く光学ビューファインダーと、撮像素子から出力される画像信号を入力し、必要な画像処理を施して出力する信号処理部と、信号処理部から出力される画像信号を可視画像として表示する表示装置と、信号処理部から出力される画像信号を格納する記録装置と、可動ミラーの切り替えを制御する一方、撮影者から入力されるモード設定を受付け当該モード設定に応じて信号処理部を制御する制御部とを有し、制御部は、撮像素子から出力される画像信号を逐次処理して、画像信号に対応した可視画像を表示装置に逐次表示させる第１の撮影モードの設定と、光学ビューファインダーを用いる第２の撮影モードの設定とを選択的に受付けるとともに、第２の撮影モードの設定を受付けた場合、撮像素子から出力される画像信号の範囲を切り出して電子的に拡大する電子ズームモードの設定の受付けを禁止する。
【発明の効果】
【０００７】
上記の本発明によれば、一眼レフレックスタイプのデジタルカメラにおいて、構図や合焦状態が確認が確認しやすいデジタルカメラを提供できる。
【発明を実施するための最良の形態】
【０００８】
（実施の形態）
以下、実施の形態に係るデジタルカメラについて説明する。
【０００９】
図１に示すデジタルカメラは、撮像レンズ装置２がカメラ本体１に着脱可能に接続された一眼レフレックスカメラである。撮像レンズ装置２は、レンズマウント２１を有し、カメラ本体１のボディ前面に設けられたボディーマウント２３に着脱可能に装着される。撮像レンズ装置２を通過した被写体光は、クイックリターンミラー４のメインミラー４ａにより２つの光束に分割され、反射光束はファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、位相差検出方式が使用される。
【００１０】
メインミラー４ａで反射された光束はファインダースクリーン６上に結像される。ファインダースクリーン６上に結像された被写体像は、ペンタプリズム７および接眼レンズ８を介してファインダ接眼窓９から観察することができる。なお、ファインダースクリーン６は、撮像レンズ系の予定像面位置に配置されている。
【００１１】
このカメラ本体１は、２つの撮影モードを有する。１つ目は、撮影者等がファインダ接眼窓９を観察しながら撮影する通常撮影モードであり、従来の一眼レフレックスカメラにおける通常の撮影モードである。
【００１２】
この通常撮影モードにおいては、図２に示すように、クイックリターンミラー４は、光路Ｘ内の所定位置に配置されているため、撮影者等は、ファインダ接眼窓９から被写体像を観察することができる。実際の撮影時には、クイックリターンミラー４が光路Ｘ外に跳ね上げられるとともに、シャッターユニット１０が開かれて撮像素子１１の撮像面上に被写体像が結像される。なお、撮像素子１１は、撮像レンズ系Ｌの予定像面位置に配置されている。
【００１３】
一方、２つ目のライブビューモードにおいては、図３に示すように、クイックリターンミラー４を光路Ｘ内から退避させる。よって、液晶モニタ等の表示モニタ１６には、撮像素子１１を介して被写体の画像、いわゆるスルー画像が表示される。
【００１４】
カメラ本体１内には、各種シーケンスをコントロールするボディーマイコン１２が搭載されている。撮像素子制御部１３は、撮像素子１１の駆動制御を行う。シャッター制御部１４は、シャッターユニット１０の駆動制御を行う。画像表示用の画像表示制御部１５は、撮像素子１１より画像信号を読み出し、所定の画像処理後、表示モニタ１６へ撮影画像を表示するよう制御する。また、画像記録制御部１７は、図示せぬＳＤカード（登録商標）などの記録媒体に対して、画像読み出し／記録部１８を介して、撮影画像の読み書きを行う。
【００１５】
着脱可能な撮像レンズ装置２は、カメラ本体１内の撮像素子１１に被写体像を結ぶための撮像レンズ系Ｌを有する。また撮像レンズ装置２内の各種シーケンスをコントロールし、各種レンズ情報を内蔵したレンズマイコン２０が搭載されている。撮像レンズ装置２内には、フォーカスレンズ群２５を駆動制御するフォーカス制御部２６が搭載されている。さらに、絞りユニット２８を制御する絞り制御部２７が搭載されている。
【００１６】
また、カメラ本体１と撮像レンズ装置２とは、それぞれに設けられた撮像レンズ装置２側のレンズマウント２１の電気切片２２（図示せず）、カメラ本体１側のボディーマウント２３の電気切片２４（図示せず）を介して、各種の制御信号の通信が行われる。
【００１７】
図４は、実施の形態に係る撮像レンズ装置２を取り付けたカメラ本体１の上面図である。
【００１８】
カメラ本体１は、被写体を撮影する際に撮影者等により支持される筐体である。このカメラ本体１は、レリーズボタン３０と、シャッタースピード設定ダイヤル３１とを含む。レリーズボタン３０と、シャッタースピード設定ダイヤル３１とは、カメラ本体１の上面の右側に設けられている。
【００１９】
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
【００２０】
また、カメラ本体１は、表示モニタ１６を含む。表示モニタ１６は、カメラ本体１本体の撮影者等側の面に設けられている。表示モニタ１６の作用については後述する。
【００２１】
撮像レンズ装置２は、最も被写体側に、フィルタマウント３７を持つ。撮像レンズ装置２は、フィルタマウント３７からカメラ本体１本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、撮像レンズ装置２の外周面において回転可能に配置されている。
【００２２】
図５は、実施の形態に係るカメラ本体１の背面図である。カメラ本体１は、電源ボタン７０、撮影／再生モード切り替えレバー７１、ＭＥＮＵボタン７２、十字操作キー７３、ＳＥＴボタン７４、絞り込みモードボタン７６、機能ボタン（１）７７、及び機能ボタン（２）７８とを含む。
【００２３】
電源ボタン７０は、カメラ本体１の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラ本体１において、被写体を新たに撮影して画像信号にするために設定されるモードである。また、再生モードとは、カメラ本体１において、既に撮影して格納されている画像信号を表示するために設定されるモードである。
【００２４】
ＭＥＮＵボタン７２は、表示モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。絞り込みモードボタン７６は、このボタンを押すことにより、後述する絞り込みモードへと移行する。機能ボタン（１）７７、機能ボタン（２）７８は、それぞれによく使う撮影／再生時のメニューを割り当てる。
【００２５】
図６各図は、実施の形態に係るカメラに搭載された第１の電子ズームモードの原理を説明する模式図である。一例として、撮像素子が７４０万画素の最大記録画素数を持ち、撮像レンズ系が１４ｍｍ〜５０ｍｍの焦点距離である場合を例に説明する。図６（ａ）は、電子ズームモードが設定されていない状態を示している。この場合、撮像素子の記録画素数にかかわらず、１４ｍｍ〜５０ｍｍの焦点距離に相当する画角が変化する。
【００２６】
図６（ｂ）は、５００万画素相当の電子ズームモードが設定された状態を示している。この場合、撮像素子が持つ７４０万画素相当の領域のうち、５００万画素相当分の中央部を切り取って撮影が行われる。このため、同一の撮像レンズ系を用いて光学ズームを行った場合、それぞれ１．２倍の焦点距離にシフトし、１６．８ｍｍ〜６０ｍｍの焦点距離に相当する画角が変化する。言い換えれば、同一の撮像レンズ系を用いて光学ズームを行った場合、記録画素数を劣化させることなく、光学ズームの画角の変化を狭い側へ移行させることができる。
【００２７】
図６（ｃ）は、３００万画素相当の電子ズームモードが設定された状態を示している。この場合、撮像素子が持つ７４０万画素相当の領域のうち、３００万画素相当分の中央部を切り取って撮影が行われる。このため、同一の撮像レンズ系を用いて光学ズームを行った場合、それぞれ１．５倍の焦点距離にシフトし、２１ｍｍ〜７５ｍｍの焦点距離に相当する画角が変化する。同様に、同一の撮像レンズ系を用いて光学ズームを行った場合、記録画素数を劣化させることなく、光学ズームの画角の変化を狭い側へ移行させることができる。
【００２８】
図７各図は、実施の形態に係るカメラに搭載された第２の電子ズームモードの原理を説明する模式図である。一例として、撮像レンズ系が１４ｍｍ〜５０ｍｍの焦点距離である場合を例に説明する。図７（ａ）は、電子ズームモードが設定されていない状態を示している。この場合、当然に１４ｍｍ〜５０ｍｍの焦点距離に相当する画角が変化する。
【００２９】
図７（ｂ）は、２倍相当の電子ズームモードが設定された状態を示している。この場合、２倍に相当する中央部を切り取って撮影が行われる。このため、同一の撮像レンズ系を用いて光学ズームを行った場合、それぞれ２倍の焦点距離にシフトし、２８ｍｍ〜１００ｍｍの焦点距離に相当する画角が変化する。
【００３０】
図７（ｃ）は、４倍相当の電子ズームモードが設定された状態を示している。この場合、４倍に相当する中央部を切り取って撮影が行われる。このため、同一の撮像レンズ系を用いて光学ズームを行った場合、それぞれ４倍の焦点距離にシフトし、５６ｍｍ〜２００ｍｍの焦点距離に相当する画角が変化する。
【００３１】
このように、第２の電子ズームモードは、大きく画角を変化させることができる。なお、前述した第１の電子ズームモードと第２の電子ズームモードとを併用してもよい。このように設定することにより、さらに大きく画角を変化させることができる。例えば、３００万画素相当の第１の電子ズームモードと４倍の第２の電子ズームモードとを併用した場合、前述の撮像レンズ系が１４ｍｍ〜５０ｍｍの焦点距離であると８４ｍｍ〜３００ｍｍの焦点距離に相当する画角を変化させることができる。
【００３２】
図８各図は、撮影モードの設定画面を示す模式図である。図８（ａ）は、撮影モードとして、ライブビューモードが設定されている場合を示す。撮影モードとして、ライブビューモードが設定されている場合、ＥＸ光学ズーム（前述の第１の電子ズームモード）及びデジタルズーム（前述の第２の電子ズームモード）がともに選択可能である。この例では、十字操作キー７３を用いて各アイコンを指定し、ＳＥＴボタン７４を押して設定を行うことができる。
【００３３】
図８（ｂ）は、撮影モードとして、通常撮影モードが設定されている場合を示す。撮影モードとして、通常撮影モードが設定されている場合、ＥＸ光学ズーム（前述の第１の電子ズームモード）及びデジタルズーム（前述の第２の電子ズームモード）がともに選択不可能になる。この例では、十字操作キー７３を用いて各アイコンを指定しても、アイコンが選択不可能な状態になり、それぞれのモードの設定の受付けが禁止される。このように、通常撮影モードで、電子ズームの使用を禁止することにより、光学ファインダーを用いても、構図を決定しやすく、撮影者に使いやすいデジタルカメラとなる。
【００３４】
なお、撮影モードとしてライブビューモードが設定されている場合であっても、記録画素数としてＬ（最大）が設定されている場合、いずれの電子ズームの設定も受付けられない。電子ズームモードの設定を行う場合、記録画素数をＳ（最小）もしくはＭ（通常）を選択する。このような選択を行うことにより、電子ズームの設定を受付けることを可能にする。
【００３５】
図９は、実施の形態に係るカメラ本体１の制御システムを示すブロック図である。
【００３６】
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、絞り込みモードボタン７６と、機能ボタン（１）７７と、機能ボタン（２）７８から信号を受信可能である。また、ボディーマイコン１２は、シャッター制御部１４と、クイックリターンミラー制御部４３へ信号を送信可能である。さらに、ボディーマイコン１２は、画像記録制御部１７と、画像表示制御部１５と、信号処理部５３との間で信号を相互に交信可能である。また、ボディーマイコン１２は、信号を格納するメモリ６８を持つ。
【００３７】
シャッター制御部１４は、ボディーマイコン１２からの制御信号に基づいてシャッター駆動モータ１０ａ（図示せず）を駆動する。クイックリターンミラー制御部４３は、ボディーマイコン１２からの制御信号に基づき、クイックリターンミラー駆動モータ４４を駆動する。
【００３８】
レリーズボタン３０は、ボディーマイコン１２へシャッタータイミングを送信する。シャッタースピード設定ダイヤル３１は、設定されたシャッタースピード情報及びシャッターモード情報を送信する。
【００３９】
撮像素子１１は、ＣＣＤ（Ｃｈａｒｇｅ  Ｃｏｕｐｌｅｄ  Ｄｅｖｉｃｅ）等である。撮像素子１１は、撮像レンズ装置２の撮影光学系Ｌにより形成される光学的な像を電気的な画像信号に変換する。撮像素子１１は、撮像素子制御部１３により駆動制御される。撮像素子１１から出力される画像信号は、信号処理部５１と、Ａ／Ｄ変換部５２と、信号処理部５３と、バッファメモリ５４と、画像圧縮部５６との順に処理される。
【００４０】
画像信号は、撮像素子１１から、信号処理部５１へ送信される。信号処理部５１は、撮像素子１１が出力する画像信号に、ガンマ処理等の信号処理を施す。画像信号は、信号処理部５１から、Ａ／Ｄ変換部５２へ送信される。Ａ／Ｄ変換部５２は、信号処理部５１から出力されたアナログ画像信号をデジタル信号に変換する。
【００４１】
画像信号は、Ａ／Ｄ変換部５２から、信号処理部５３へ送信される。信号処理部５３は、Ａ／Ｄ変換部５２によりデジタル信号に変換された画像信号のノイズ除去や輪郭強調等の信号処理を施す。画像信号は、信号処理部５３から、バッファメモリ５４へ送信される。バッファメモリ５４は、信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）である。
【００４２】
画像信号は、画像記録制御部１７からの指令に従って、バッファメモリ５４から、画像圧縮部５６に送信される。画像圧縮部５６は、画像記録制御部１７の指令に従って画像信号のデータを所定の大きさに圧縮する。画像信号は、所定の比率でデータの圧縮を受け、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。
【００４３】
圧縮された画像信号は、画像圧縮部５６から画像読み出し／記録部１８及び表示モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像読み出し／記録部１８を制御する。画像表示制御部１５は、ボディーマイコン１２からの制御信号に基づいて表示モニタ１６を制御する。
【００４４】
画像読み出し／記録部１８は、画像記録制御部１７の指令に基づいて、画像信号を内部メモリ及び／又はリムーバブルメモリに記録する。画像読み出し／記録部１８は、画像記録制御部１７の指令に基づいて、画像信号とともに記憶すべき情報を、内部メモリ及び／又はリムーバブルメモリに記録する。画像信号とともに記憶すべき情報は、画像を撮影した際の日時、焦点距離情報、シャッタースピード情報、絞り値情報、撮影モード情報を含む。
【００４５】
表示モニタ１６は、画像表示制御部１５の指令に基づいて、画像信号を可視画像として表示する。表示モニタ１６は、画像表示制御部１５の指令に基づいて、画像信号とともに表示すべき情報を、表示する。画像信号とともに表示すべき情報は、焦点距離情報、シャッタースピード情報、絞り値情報、撮影モード情報、合焦状態情報、及び撮像レンズ装置２の絞りリング４０の有無、絞り値の設定ステップ、設定幅等の表示を含む。
【００４６】
また、表示モニタ１６は、画像表示制御部１５の指令に基づいて、所定の撮影／再生モードにおいて、撮影者等により設定されるべき設定画面を表示する。
【００４７】
撮影者等が撮影する場合には、電源ボタン７０をＯＮにし、撮影／再生モード切り替えレバー７１を撮影モードに合わせる。これによりカメラ本体１本体の電源が入り、表示モニタ１６には、撮像素子１１により電気的な画像信号に変換された被写体が可視画像として、画像表示制御部１５の指令に基づいて表示される。
【００４８】
カメラ本体１が撮影モードにある状態において、撮影者等がＭＥＮＵボタン７２を押すと、表示モニタ１６は、画像表示制御部１５の指令に基づき、撮影モードにおいて撮影者等により変更可能な設定の項目をアイコン化した設定メニュー画像を表示する。
【００４９】
図１０は、実施の形態に係る撮像レンズ装置２内の制御システムを示すブロック図である。
【００５０】
レンズマイコン２０は、ズーム制御部６２と、フォーカス制御部２６と、絞り制御部２７との間で信号を相互に交信可能である。
【００５１】
ズーム制御部６２は、ズームリニアセンサ６０から、Ａ／Ｄ変換部６１を介して、信号を受信可能である。ズーム制御部６２は、ズームリニアセンサ６０により検出されたズームリング３８の回転量を撮影光学系Ｌの焦点距離情報に変換する。ズーム制御部６２は、焦点距離情報をレンズマイコン２０へ送信する。
【００５２】
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの指令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００５３】
絞り制御部２７は、絞りリニアセンサ６６から信号を受信可能であり、Ａ／Ｄ変換部６７を介して、絞り駆動モータ２８ｂへ信号を送信可能である。絞り制御部２７は、絞りリニアセンサ６６により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの指令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
【００５４】
レンズマイコン２０内のメモリ部６９には、撮像レンズ装置２ごとの各種プログラム、あるいは焦点距離及び被写体までの距離とフォーカスレンズ群２５の移動量との関係を示すデータや、絞りリング４０の搭載有無、絞り値の設定ステップ、設定幅等のデータなどが記憶されている。
【００５５】
次に、カメラ本体１の撮影動作について説明する。前述のように、本実施の形態における撮像装置においては、２つの撮影モードを有する。
【００５６】
まず図２に基づき、撮影者等が、ファインダ接眼窓９を覗いて撮影する通常撮影モードにおける駆動シーケンスについて説明する。
【００５７】
撮影者等のレリーズボタン３０の半押し動作により、カメラ本体１内のボディーマイコン１２および各種ユニットには、電源が供給される。電源供給により起動するカメラ本体１内のボディーマイコン１２は、同じく電源供給で起動する撮像レンズ装置２内のレンズマイコン２０より、レンズマウント２１、ボディーマウント２３を介して、各種レンズデータを受け取り、内蔵するメモリ６８に保存する。次に、ボディーマイコン１２は、焦点検出用ユニット５より、焦点ずれ量（以後、Ｄｆ量という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動を繰り返すうち、Ｄｆ量は小さくなり、所定量以下になった時に合焦と判断し、フォーカスレンズ群２５の駆動を止める。
【００５８】
この後、ボディーマイコン１２は、レリーズボタン３０の全押し動作により、レンズマイコン２０に不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部４３により、クイックリターンミラー４の光路Ｘ内からの退避を行う。退避完了後、撮像素子制御部１３は、撮像素子１１の駆動を指示し、シャッターユニット１０の動作を指示する。なお、撮像素子制御部１３は、不図示の測光センサからの出力に基づいて計算されたシャッタースピードの時間だけ、撮像素子１１を露光する。
【００５９】
露光完了後、撮像素子制御部１３は、撮像素子１１より画像信号を読み出し、所定の画像処理後、画像表示用表示モニタ１６へ撮影画像を表示するよう制御し、また、画像読み出し／記録部１８を介して、記憶媒体に画像信号を書き込む。また、露光終了後、クイックリターンミラー４とシャッターユニット１０を初期位置にリセットする。ボディーマイコン１２は、レンズマイコン２０へ、絞りを開放位置にリセットするよう指示し、レンズマイコン２０は、各ユニットにリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていないことを確認し、撮影シーケンスを終了する。
【００６０】
次に図３に基づき、撮影者等が表示モニタ１６を用いて撮影するもう一つのライブビューモードにおける駆動シーケンスについて説明する。
【００６１】
表示モニタ１６を用いて撮影する際には、撮影モード切り替えボタン７５を操作して、ライブビューモードにする。ライブビューモードに移行すると、ボディーマイコン１２は、クイックリターンミラー４を光路Ｘ内から退避させる。よって、被写体像が撮像素子１１に達するので、撮像素子制御部１３は、撮像素子１１より画像信号を読み出し、所定の画像処理後、表示モニタ１６へ撮影画像を表示させる。ここで、所定の画像処理には、前述の第１及び／又は第２の電子ズームが設定されている場合に画像範囲を設定する処理が含まれる。このように、撮影画像を表示モニタ１６に表示させることにより、撮影者等は、ファインダ接眼窓９を覗くことなく、被写体を追いかけることが可能となる。
【００６２】
次に、撮影者等のレリーズボタン３０の半押し動作により、カメラ本体１のボディーマイコン１２は、撮像レンズ装置２内のレンズマイコン２０より、レンズマウント２１、ボディーマウント２３を介して、各種レンズデータを受け取り、内蔵するメモリに保存する。次に、ボディーマイコン１２は、クイックリターンミラー制御部４３により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動を繰り返すうち、Ｄｆ量は小さくなり、所定量以下になったときに合焦と判断し、フォーカスレンズ群２５の駆動を止める。
【００６３】
この後、ボディーマイコン１２は、レリーズボタン３０の全押し動作により、レンズマイコン２０に不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部４３により、クイックリターンミラー４の光路Ｘ内からの退避を行う。退避完了後、撮像素子制御部１３は、撮像素子１１の駆動を指示し、シャッターユニット１０の動作を指示する。なお、撮像素子制御部１３は、不図示の測光センサからの出力に基づいて計算されたシャッタースピードの時間だけ、撮像素子１１を露光する。
【００６４】
露光完了後、撮像素子制御部１３は、撮像素子１１より画像信号を読み出し、所定の画像処理後、画像表示用表示モニタ１６へ撮影画像を表示するよう制御し、また、画像読み出し／記録部１８を介して、記憶媒体に画像信号を書き込む。また、露光終了後、クイックリターンミラー４は光路Ｘ内から退避させた状態に位置し、引き続き、ライブビューモードを継続することが可能となる。
【００６５】
また、ライブビューモードを解除する場合には、撮影モード切り替えボタン７５を操作して、通常の撮影モード、すなわち、ファインダ接眼窓９を覗いて撮影するライブビューモードに移行する。この際には、クイックリターンミラー４を、光路Ｘ内の所定位置に戻す。また、カメラ本体１本体の電源を切断する際にも、クイックリターンミラー４を、光路Ｘ内の所定位置に戻す。
【００６６】
このように、ライブビューモードを搭載することにより、デジタルカメラにおいても、表示モニタを用いて撮影できるようになり、ファインダを覗いて撮影する必要がなくなることから、とりわけ、デジタルカメラの撮影に不慣れな初心者にとっては、非常に使い易くなる。
【００６７】
なお、実施の形態では、撮像レンズ装置としてズームレンズ系を備えた例を示したが、光学ズーム機能を持たない単一焦点レンズ系を備えた撮像レンズ装置を取り付けてもよい。この場合でも、第１の電子ズームモードは、記録画素数に基づいて拡大倍率が決定されるモードであり、第２の電子ズームモードは、拡大倍率そのものを受付けるモードであることには同一である。
【産業上の利用可能性】
【００６８】
本発明は、デジタルスチルカメラ、デジタルビデオカメラに適用可能であり、特に一眼レフレックスタイプのデジタルスチルカメラに好適である。
【図面の簡単な説明】
【００６９】
【図１】実施の形態に係る撮像レンズ装置とデジタルカメラ本体の制御システムを示すブロック図
【図２】実施の形態に係るライブビューモードを説明する概念図
【図３】実施の形態に係るライブビューモードを説明する概念図
【図４】実施の形態に係るデジタルカメラの上面図
【図５】実施の形態に係るデジタルカメラの背面図
【図６】実施の形態に係るカメラに搭載された第１の電子ズームモードの原理を説明する模式図
【図７】実施の形態に係るカメラに搭載された第２の電子ズームモードの原理を説明する模式図
【図８】実施の形態に係るカメラの撮影モードの設定画面を示す模式図
【図９】実施の形態に係るデジタルカメラ内の制御システムを示すブロック図
【図１０】実施の形態に係る撮像レンズ装置内の制御システムを示すブロック図
【符号の説明】
【００７０】
Ｌ  撮像光学系
Ｄｆ  焦点ずれ量
Ｘ  光路
１  デジタルカメラ
２  撮像レンズ装置
４  クイックリターンミラー
９  ファインダ接眼窓
１０  シャッターユニット
１１  撮像素子
１２  ボディーマイコン
１４  シャッター制御部
１５  画像表示制御部
１６  表示モニタ
１８  画像読み出し／記録部
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
４３  クイックリターンミラー制御部
４４  クイックリターンミラー駆動モータ
６２  ズーム制御部
６５  フォーカス駆動モータ
６９  撮像レンズ装置内メモリ
７１  撮影／再生モード切り替えレバー
７２  ＭＥＮＵボタン
７５  撮影モード切り替えボタン
７６  絞り込みモードボタン
７７  機能ボタン（１）
７８  機能ボタン（２）
【図１】
2008005032.tif 000003
【図２】
2008005032.tif 000004
【図３】
2008005032.tif 000005
【図４】
2008005032.tif 000006
【図５】
2008005032.tif 000007
【図６】
2008005032.tif 000008
【図７】
2008005032.tif 000009
【図８】
2008005032.tif 000010
【図９】
2008005032.tif 000011
【図１０】
2008005032.tif 000012